(57)【特許請求の範囲】
【請求項１】
記録装置の有するランダムアクセス可能な記録媒体に記録された映像を再生するビデオ装置であって、
映像の再生ポイントをそれぞれ示す複数の再生ポインタと、前記複数の再生ポインタ間の時間差を指定する再生ポインタ差分とを記憶するポインタ管理メモリと、
映像データを記憶しており、前記複数の再生ポインタでそれぞれ示された再生ポイントに対応する複数の映像データを取り出す記録装置と、
前記記録装置により取り出された前記複数の映像データをそれぞれデコードする複数の映像デコーダと、
前記複数の映像デコーダによりデコードされた複数の映像を合成して再生する映像合成処理装置と、
ユーザの所望により、前記再生ポインタ差分の値を設定し、前記複数の映像を合成して再生中に前記複数の再生ポインタの値を修正する制御部を有するビデオ装置。
【請求項２】
前記複数の再生ポインタは、前記ユーザが映像を主に視聴するための１つのメイン再生ポインタと、前記ユーザが前記メイン再生ポインタの再生ポイント以外の映像を補助的に視聴するためのサブ再生ポインタを含む、請求項１記載のビデオ装置。
【請求項３】
前記サブ再生ポインタは、前記メイン再生ポインタまたは他のサブ再生ポインタとの時間差分を指定する再生ポインタ差分により、前記メイン再生ポインタとの時間差分が特定される、請求項２記載のビデオ装置。
【請求項４】
前記サブ再生ポインタは、前記メイン再生ポインタより前の再生ポイントを示す少なくとも１つの過去再生ポインタと、前記メイン再生ポインタより後の再生ポイントを示す少なくとも１つの未来再生ポインタである、請求項２または３記載のビデオ装置。
【請求項５】
主に視聴する再生ポイントの映像をいずれかのサブ再生ポインタで指定されている再生ポイントに移動するためのスイッチを更に有し、
前記制御部は、前記スイッチにより前記ユーザから指示されたサブ再生ポイントの値を前記メイン再生ポインタに上書きし、その後に全ての前記サブ再生ポイントの値を前記再生ポインタ差分により修正する、請求項２から４のいずれか１項に記載のビデオ装置。
【請求項６】
前記スイッチが通信ネットワークを介して前記制御部に接続されており、該スイッチを分離して配置可能な、請求項５記載のビデオ装置。
【請求項７】
前記再生ポインタ差分を設定するための再生ポインタ差分設定手段を更に有し、
前記制御部は、前記再生ポインタ差分設定手段による前記ユーザからの指示に従って前記再生ポインタ差分の値を設定し、その後に新たな前記再生ポインタ差分より前記サブ再生ポインタを算出し、設定する、請求項２から６のいずれか１項に記載のビデオ装置。
【請求項８】
前記再生ポインタ差分設定手段が通信ネットワークを介して前記制御部に接続されており、該再生ポインタ差分設定手段を分離して配置可能な、請求項７記載のビデオ装置。
【請求項９】
前記複数の映像デコーダによりデコードされた複数の映像を合成して画面表示する映像合成処理装置を更に有する、請求項１から８のいずれか１項に記載のビデオ装置。
【請求項１０】
前記記録装置と前記複数の映像デコーダとが通信ネットワークを介して接続されており、前記複数の映像デコーダ及び前記映像合成処理装置を分離して配置可能な、請求項９記載のビデオ装置。
【発明の詳細な説明】
【０００１】
【発明の属する技術分野】
本発明は、記録装置の有するランダムアクセス可能な記録媒体に記録されたビデオデータを再生するビデオ装置に関する。
【０００２】
【従来の技術】
これまでビデオデータの記録にはテープ型の記録媒体が利用されることが多かったが、技術進歩により、任意の時点から再生可能なランダムアクセス可能な円盤型や半導体型の記録媒体が利用されることが多くなってきている。
【０００３】
この種のビデオ装置は、ランダム・アクセス可能な記録媒体を用いることにより、テープ型のビデオ装置では不可能であった、録画済番組の任意の個所（ポイント）の再生を瞬時に開始することが可能である。
【０００４】
従来のビデオ装置には、任意のポイントの再生を瞬時にできることを利用して、テレビから録画した番組の再生時にユーザの操作によりＣＭをカットする機能を有するものがある。
【０００５】
図４は、ＣＭカット機能を有する従来のビデオ装置の構成例を示す概略ブロック図である。
【０００６】
従来のビデオ装置はポインタ管理メモリ９１００、記録装置９２００、マイコン９３００、スイッチ９３１１、映像処理装置９４００及び映像デコーダ９５００を有している。
【０００７】
記録装置９２００は、録画時、テレビ番組等が圧縮されたデジタルデータ（以下、圧縮デジタルデータと称す）を記録する。また、記録装置９２００は、再生時、記録された圧縮デジタルデータを取り出す。例えば、記録装置９２００には円盤型の記録媒体が着脱可能に搭載されており、再生時、記録装置９２００は記録媒体に記録された録画済番組９２１０の圧縮デジタルデータの取り出しを行う。或は、記録装置９２００はハードディスクを有しており、ハードディスクに記録された圧縮デジタルデータの取り出しを行うものであってもよい。
【０００８】
ポインタ管理メモリ９１００は再生するビデオのポイントを管理するメモリであり、現在再生中のポイントを示すポインタを管理している。
【０００９】
マイコン９３００は、ソフトウェアのプログラムを実行することにより、ビデオの再生処理を制御する。
【００１０】
スイッチ９３１１は、ユーザの操作によりオンオフされ、そのオンオフがマイコン９３００により検出可能なスイッチである。
【００１１】
映像デコーダ９５００は記録装置９２００により取り出された圧縮デジタルデータをデコードし、伸長されたビデオデータを生成する。
【００１２】
映像処理装置９４００は伸長されたデジタルデータより映像を再生して画面９４０１に表示する。
【００１３】
従来のビデオ装置の具体的な動作について説明する。
【００１４】
ユーザは、テレビから録画した番組を視聴していてＣＭが始まるとスイッチ９３１１をオンする。マイコン９３００はスイッチ９３１１のオンを検出すると、現在再生中のポイントより３０秒後のポイントの再生を開始するために、ポインタ管理メモリ９１００にて管理されているポインタ９１１１に対して３０秒分の値を加算する。
【００１５】
記録装置９２００は、ポインタ９１１１の値に従って３０秒後のポイントの圧縮デジタルデータの取り出しを開始する。その圧縮デジタルデータが映像デコーダ９５００でデコードされ、映像処理装置９４００により画面表示される。
【００１６】
したがって、従来のビデオ装置によれば、３０秒間のＣＭを飛ばして、その後のポイントから即座に再生を開始することができる。
【００１７】
【発明が解決しようとする課題】
従来のビデオ装置は、時間が予め分かっているＣＭなどをカットするには有効である。しかし、スイッチ９３１１をオンして画面の表示を切り替えるまで、どのような画面のポイントに再生が移るか分からないので、番組内で所望のポイントに再生を移すには不向きであった。
【００１８】
従来のビデオ装置において番組内の所望のポイントに再生を移す場合、従来のテープ型のビデオ装置と同様に、ユーザは早送りや逆再生を利用して所望のポイントを探す必要があり、ランダムアクセス可能な記録媒体の利点が充分に発揮されていなかった。
【００１９】
本発明の目的は、再生しているポイントを実際に移動させることなく、所望の移動先ポイントを見つけることが可能なビデオ装置を提供することである。
【００２０】
【課題を解決するための手段】
上記目的を達成するために、本発明のビデオ装置は、記録装置の有するランダムアクセス可能な記録媒体に記録された映像を再生するビデオ装置であって、
映像の再生ポイントをそれぞれ示す複数の再生ポインタと、前記複数の再生ポインタ間の時間差を指定する再生ポインタ差分とを記憶するポインタ管理メモリと、
映像データを記憶しており、前記複数の再生ポインタでそれぞれ示された再生ポイントに対応する複数の映像データを取り出す記録装置と、
前記記録装置により取り出された前記複数の映像データをそれぞれデコードする複数の映像デコーダと、
前記複数の映像デコーダによりデコードされた複数の映像を合成して再生する映像合成処理装置と、
ユーザの所望により、前記再生ポインタ差分の値を設定し、前記複数の映像を合成して再生中に前記複数の再生ポインタの値を修正する制御部を有している。
【００２１】
本発明のビデオ装置によれば、複数の映像が同時に再生されるので、ユーザは複数の映像を見て再生ポイントの移動先を探すことができる。
【００２２】
本発明の実施態様によれば、前記複数の再生ポインタは、前記ユーザが映像を主に視聴するための１つのメイン再生ポインタと、前記ユーザが前記メイン再生ポインタの再生ポイント以外の映像を補助的に視聴するためのサブ再生ポインタを含む。
【００２３】
したがって、本実施態様のビデオ装置は、主として視聴する映像の他に補助的な映像を表示することができるので、ユーザは映像の視聴を継続しながら補助的な映像を見て再生ポイントの移動先を探すことができる。
【００２４】
本発明の実施態様によれば、前記サブ再生ポインタは、前記メイン再生ポインタまたは他のサブ再生ポインタとの時間差分を指定する再生ポインタ差分により、前記メイン再生ポインタとの時間差分が特定される。
【００２５】
したがって、メイン再生ポインタとサブ再生ポインタとの時間差分が再生ポインタ差分により容易に求められる。
【００２６】
本発明の実施態様によれば、前記サブ再生ポインタは、前記メイン再生ポインタより前の再生ポイントを示す少なくとも１つの過去再生ポインタと、前記メイン再生ポインタより後の再生ポイントを示す少なくとも１つの未来再生ポインタである。
【００２７】
したがって、本実施態様のビデオ装置は、過去再生ポインタ及び未来再生ポインタにより、主として視聴している映像の前及び後ろの再生ポイントの映像を表示する。
【００２８】
本発明の実施態様によれば、主に視聴する再生ポイントの映像をいずれかのサブ再生ポインタで指定されている再生ポイントに移動するためのスイッチを更に有し、
前記制御部は、前記スイッチにより前記ユーザから指示されたサブ再生ポイントの値を前記メイン再生ポインタに上書きし、その後に全ての前記サブ再生ポイントの値を前記再生ポインタ差分により修正する。
【００２９】
したがって、本実施態様のビデオ装置は、主として視聴する画面を、サブ再生ポインタで示される再生ポイントの映像を見ながら探した移動先へスイッチ操作により瞬時に移動させることができる。
【００３０】
本発明の実施態様によれば、前記スイッチが通信ネットワークを介して前記制御部に接続されており、該スイッチを分離して配置可能である。
【００３１】
したがって、本実施態様のビデオ装置のスイッチは通信ネットワークを介して遠隔等に配置することが可能である。
【００３２】
本発明の実施態様によれば、前記再生ポインタ差分を設定するための再生ポインタ差分設定手段を更に有し、
前記制御部は、前記再生ポインタ差分設定手段による前記ユーザからの指示に従って前記再生ポインタ差分の値を設定し、その後に新たな前記再生ポインタ差分より前記サブ再生ポインタを算出し、設定する。
【００３３】
したがって、本実施態様のビデオ装置はユーザが再生ポインタ差分を容易に設定可能なので、予め時間差分が分かっている場合に、ユーザは再生ポインタ差分を設定することにより再生ポイントを瞬時に表示させることができる。また、時間差分が、ある程度分かっている場合に、ユーザは所望の再生ポイントの近くまで瞬時に移動させることができる。
【００３４】
本発明の実施態様によれば、前記再生ポインタ差分設定手段が通信ネットワークを介して前記制御部に接続されており、該再生ポインタ差分設定手段を分離して配置可能である。
【００３５】
本発明の実施態様によれば、前記複数の映像デコーダによりデコードされた複数の映像を合成して画面表示する映像合成処理装置を更に有している。
【００３６】
したがって、本実施態様のビデオ装置は１つの画面内に複数の映像を表示することができる。
【００３７】
本発明の実施態様によれば、前記記録装置と前記複数の映像デコーダとが通信ネットワークを介して接続されており、前記複数の映像デコーダ及び前記映像合成処理装置を分離して配置可能である。
【００３８】
【発明の実施の形態】
本発明の一実施形態について図面を参照して詳細に説明する。
【００３９】
本実施形態のビデオ装置はメインの映像の再生（現在再生）中に、過去の映像の再生（過去再生）及び未来の映像の再生（未来再生）を行い、それら全ての映像を同時に画面に表示することができる。
【００４０】
図１は本実施形態のビデオ装置の構成を示すブロック図である。
【００４１】
本実施形態のビデオ装置はポインタ管理メモリ１００、記録装置２００、マイコン３００、未来再生画面選択スイッチ３１０、過去再生画面選択スイッチ３１２、再生ポインタ差分設定部３２１，３２２、映像合成処理装置４００、未来再生映像デコーダ５１０、現在再生映像デコーダ５１１及び過去再生映像デコーダ５１２を有している。
【００４２】
ポインタ管理メモリ１００には再生ポインタ１２１，１２２が設定されている。また、ポインタ管理メモリ１００は未来再生ポインタ１１０、現在再生ポインタ１１１及び過去再生ポインタ１１２を管理している。未来再生ポインタ１１０は未来再生のポイントを示すポインタであり、現在再生ポインタ１１１は現在再生のポイントを示すポインタであり、過去再生ポインタ１１２は過去再生のポイントを示すポインタである。再生ポインタ差分１２１は未来再生ポインタ１１０と現在再生ポインタ１１１との差分である。現在再生ポインタ１１１に再生ポインタ差分１２１を加算することで未来再生ポインタ１１０の値が算出される。再生ポインタ差分１２２は過去再生ポインタ１１２と現在再生ポインタ１１１との差分である。現在再生ポインタ１１１から再生ポインタ差分１２２を減算することで過去再生ポインタ１１２の値が算出される。
【００４３】
マイコン３００はソフトウェアのプログラムを実行することにより、ビデオの再生処理を制御する。未来再生画面選択スイッチ３１０及び過去再生画面選択スイッチ３１２はユーザの操作によりオンオフされ、そのオンオフがマイコンにより検出可能である。マイコン３００は未来再生画面選択スイッチ３１０のオンを検出すると、画面のメインの表示をそれまで未来再生としていた映像に切り替える。また、マイコン３００は過去再生画面選択スイッチ３１２のオンを検出すると、画面のメインの表示をそれまで過去再生としていた映像に切り替える。再生ポインタ差分設定部３２１，３２２はユーザの操作により、マイコン３００を介して、ポインタ管理メモリ１００の再生ポインタ差分１２１，１２２の値を設定する。
【００４４】
記録装置２００は、録画時、テレビ番組等が圧縮されたデジタルデータ（以下、圧縮デジタルデータと称す）を録画済番組２１０として記録し、保持する。また、記録装置２００は、再生時、記録された圧縮デジタルデータを取り出す。その際、記録装置２００はポインタ管理メモリ１００の未来再生ポインタ１１０、現在再生ポインタ１１１及び過去再生ポインタ１１２の示す３つのポイントの圧縮デジタルデータを取り出す。例えば、記録装置２００には円盤型の記録媒体が着脱可能に搭載されており、再生時、記録装置２００は記録媒体に記録された録画済番組２１０の圧縮デジタルデータの取り出しを行う。或は、記録装置２００はハードディスクを有しており、ハードディスクに記録された圧縮デジタルデータの取り出しを行うものであってもよい。
【００４５】
未来再生映像デコーダ５１０は記録装置２００により取り出された未来再生の圧縮デジタルデータをデコードし、伸長されたビデオデータを生成する。同様に、現在再生映像デコーダ５１１は現在再生の圧縮デジタルデータをデコードし、過去再生映像デコーダ５１２は過去再生の圧縮デジタルデータをデコードする。
【００４６】
映像合成処理装置４００は、未来再生、現在再生及び過去再生の伸長されたデジタルデータよりそれぞれの映像を再生し、それらの映像を合成して画面に表示する。現在再生画面４１１がメインで（中央に大きく）表示されている。そして、ユーザにより未来再生画面選択スイッチ３１０がオンされると、それまで未来再生とされていた映像が現在再生に移る。同様に、過去再生画面選択スイッチ３１２がオンされると、それまで過去再生とされていた映像が現在再生に移る。
【００４７】
次に、本実施形態のビデオ装置の動作について説明する。
【００４８】
本実施形態のビデオ装置は、通常、過去再生、現在再生及び未来再生の３つの再生を同時に行っている。画面上では、現在再生の映像が他の２つの映像より大きく表示されている。
【００４９】
現在再生とは、番組等を視聴するためのメインの再生である。過去再生とは、現在再生の移動先ポイントを探すなどのために、現在再生より任意の時間前のポイントを補助的に再生するものである。同様に、未来再生とは現在再生より任意の時間後のポイントを再生するものである。
【００５０】
ユーザが、再生ポインタ設定部３２１から再生ポインタ差分１２１を変更すると、現在再生ポインタ１１１と変更後の再生ポインタ差分１２１とから未来再生ポインタ１１０が計算され、更新される。例えば、再生ポインタ差分１２１に１０秒を加算すると、未来再生ポインタ１１０にも１０秒が加算される。未来再生ポインタ１１０が更新されると、それに伴って未来再生のポイントが移動する。このとき、現在再生の画面では通常の速度で再生が継続される。
【００５１】
また、ユーザが、再生ポインタ設定部３２２から再生ポインタ差分１２２を変更すると、現在再生ポインタ１１１と変更後の再生ポインタ差分１２２とから過去再生ポインタ１１２が計算され、更新される。過去再生ポインタ１１２が更新されると、それに伴って過去再生のポイントが移動する。
【００５２】
また、ユーザが、未来再生画面選択スイッチをオンすると、未来再生ポインタ１１０の値が現在再生ポインタ１１１に上書きされる。次に、新しい現在再生ポインタ１１１と再生ポインタ差分１２１とから未来再生ポインタ１１０の値が計算され、更新される。それと同時に、新しい現在再生ポインタ１１１と再生ポインタ差分１２２とから過去再生ポインタ１１２の値が計算され、更新される。これらにより現在再生、未来再生及び過去再生のポイントがそれぞれ移動する。
【００５３】
また、ユーザが、過去再生画面選択スイッチをオンすると、過去再生ポインタ１１２の値が現在再生ポインタ１１１に上書きされる。次に、新しい現在再生ポインタ１１１と再生ポインタ差分１２１とから未来再生ポインタ１１０の値が計算され、更新される。それと同時に、新しい現在再生ポインタ１１１と再生ポインタ差分１２２とから過去再生ポインタ１１２の値が計算され、更新される。これらにより現在再生、未来再生及び過去再生のポイントがそれぞれ移動する。
【００５４】
本実施形態のビデオ装置によれば、現在再生の映像の表示を継続しながら、任意のポイントの未来再生及び過去再生の映像を表示することができるので、ユーザは番組等の視聴を中断することなく、過去再生または未来再生の映像を見ることができ、現在再生の移動先ポイントを見つけることができる。また、本実施形態のビデオ装置によれば、ユーザは過去再生または未来再生の再生ポイントを変更しながら移動先ポイントを決定することができるので、現在再生への入れ替えのタイミングを容易にとることができる。
【００５５】
なお、本実施形態のビデオ装置は、過去再生画面または未来再生画面の表示と非表示をユーザの所望により切り替えることができるものであってもよい。これによれば、現在再生のポイントを移動させる必要がない場合に、ユーザは大きな映像で番組等を視聴することができる。
【００５６】
なお、本実施形態のビデオ装置は、再生ポインタ差分設定部３２１，３２２において、再生ポインタ差分１２１，１２２に１０秒後、２５秒後、５５秒後などの所定値がスイッチ１つで容易に設定可能であってもよい。これによれば、ユーザは様々なＣＭを簡単な操作でカットして番組を視聴することができる。
【００５７】
なお、本実施形態のビデオ装置は、未来再生、現在再生及び過去再生の再生スピードを同時に変化させることができてもよい。例えば、スロー再生や倍速再生を行う場合、３つの映像が全てスロー再生や倍速再生となる。これによれば、ユーザは、映像間の時間の計測を行うことができる。例えば、競争競技者のゴールのタイム差を正確に計測することができる。
【００５８】
なお、未来再生画面選択スイッチ３１０、過去再生画面選択スイッチ３１２、再生ポインタ差分設定部３２１，３２２の操作は機械式のスイッチやダイヤル等によるものであってもよく、また、タッチパネルやマウス・カーソルによるものであってもよい。例えば、過去再生画面４１２に指で触れると、それが過去再生画面選択スイッチ３１２の役割を果たして画面が切り替わるようにすれば、直感的な操作が可能となり操作性が高まる。
【００５９】
図２は、本発明の他の実施形態のビデオ装置の構成を示すブロック図である。
【００６０】
図２のビデオ装置はポインタ管理メモリ１００、記録装置２００、マイコン３００、第１及び第２の未来再生画面選択スイッチ３１３，３１４、過去再生画面選択スイッチ３１２、再生ポインタ差分設定部３２１，３２２，３２３、映像合成処理装置４００、第１及び第２の未来再生映像デコーダ５１３，５１４、現在再生映像デコーダ５１１及び過去再生映像デコーダ５１２を有している。
【００６１】
ポインタ管理メモリ１００には再生ポインタ１２１，１２２，１２３が設定されている。また、ポインタ管理メモリ１００は第１及び第２の未来再生ポインタ１１３，１１４、現在再生ポインタ１１１及び過去再生ポインタ１１２を管理している。第１及び第２の未来再生ポインタ１１３，１１４は未来再生のポイントを示すポインタであり、現在再生ポインタ１１１は現在再生のポイントを示すポインタであり、過去再生ポインタ１１２は過去再生のポイントを示すポインタである。再生ポインタ差分１２１は第１の未来再生ポインタ１１３と現在再生ポインタ１１１との差分である。現在再生ポインタ１１１に再生ポインタ差分１２１を加算することで第１の未来再生ポインタ１１３の値が算出される。再生ポインタ差分１２２は過去再生ポインタ１１２と現在再生ポインタ１１１との差分である。現在再生ポインタ１１１から再生ポインタ差分１２２を減算することで過去再生ポインタ１１２の値が算出される。再生ポインタ差分１２３は第２の未来再生ポインタ１１４と第１の未来再生ポインタ１１３との差分である。第１の未来再生ポインタ１１３に再生ポインタ差分１２３を加算することで第２の未来再生ポインタ１１４の値が算出される。
【００６２】
マイコン３００はソフトウェアのプログラムを実行することにより、ビデオの再生処理を制御する。第１及び第２の未来再生画面選択スイッチ３１３，３１４及び過去再生画面選択スイッチ３１２はユーザの操作によりオンオフされ、そのオンオフがマイコンにより検出可能である。マイコン３００は第１の未来再生画面選択スイッチ３１３のオンを検出すると、画面のメインの表示をそれまで第１の未来再生としていた映像に切り替える。同様に、マイコン３００は第２の未来再生画面選択スイッチ３１４のオンを検出すると、画面のメインの表示をそれまで第２の未来再生としていた映像に切り替える。また、マイコン３００は過去再生画面選択スイッチ３１２のオンを検出すると、画面のメインの表示をそれまで過去再生としていた映像に切り替える。再生ポインタ差分設定部３２１，３２２，３２３はユーザの操作により、マイコン３００を介して、ポインタ管理メモリ１００の再生ポインタ差分１２１，１２２，１２３の値を設定する。
【００６３】
記録装置２００は、録画時、テレビ番組等が圧縮されたデジタルデータ（以下、圧縮デジタルデータと称す）を録画済番組２１０として記録し、保持する。また、記録装置２００は、再生時、記録された圧縮デジタルデータを取り出す。その際、記録装置２００はポインタ管理メモリ１００の第１及び第２の未来再生ポインタ１１３，１１４、現在再生ポインタ１１１及び過去再生ポインタ１１２の示す４つのポイントの圧縮デジタルデータを取り出す。
【００６４】
第１及び第２の未来再生映像デコーダ５１３，５１４は記録装置２００により取り出された第１及び第２の未来再生の圧縮デジタルデータをデコードし、伸長されたビデオデータをそれぞれ生成する。同様に、現在再生映像デコーダ５１１は現在再生の圧縮デジタルデータをデコードし、過去再生映像デコーダ５１２は過去再生の圧縮デジタルデータをデコードする。
【００６５】
映像合成処理装置４００は、第１及び第２の未来再生と現在再生と過去再生の伸長されたデジタルデータよりそれぞれの映像を再生し、それらの映像を合成して画面に表示する。現在再生画面４１１がメインで（中央に大きく）表示されている。そして、ユーザにより第１の未来再生画面選択スイッチ３１３がオンされると、それまで第１の未来再生とされていた映像が現在再生に移る。同様に、ユーザにより第２の未来再生画面選択スイッチ３１４がオンされると、それまで第２の未来再生とされていた映像が現在再生に移る。同様に、過去再生画面選択スイッチ３１２がオンされると、それまで過去再生とされていた映像が現在再生に移る。
【００６６】
図２のビデオ装置は２つの未来再生を有する点で図１のビデオ装置と異なり、その他については基本的に図１のものと同じである。
【００６７】
図２のビデオ装置によれば、図１のビデオ装置と同様に、ユーザは番組等の視聴を中断することなく、過去再生または未来再生の映像を見ることができ、現在再生の移動先ポイントを見つけることができる。図２のビデオ装置は２つの未来再生を有するので図１のものより更に利便性が高い。
【００６８】
なお、図２の実施形態では、第２の未来再生ポインタ１１４が、第１の未来再生ポインタ１１３との差分を示す再生ポインタ差分１２３により算出可能である場合を例示したが、第２の未来再生ポインタも現在再生ポインタ１１１との差分を示す再生ポインタにより算出可能なものであってもよい。
【００６９】
図３は本発明の更に他の実施形態のビデオ装置の構成を示すブロック図である。
【００７０】
図３のビデオ装置は、図１のビデオ装置に対して、更に、ネットワークインタフェース部６００，６０２、通信ネットワーク６０１を有する。
【００７１】
図３のビデオ装置では、未来再生映像デコーダ５１０、現在再生映像デコーダ５１１及び過去再生映像デコーダ５１２と記録装置２００との間が通信ネットワーク６０１を介して接続されている。また、未来再生画面選択スイッチ３１０、過去再生画面選択スイッチ３１２及び再生ポインタ差分３２１，３２２と、マイコン３００との間も同様に通信ネットワーク６０１を介して接続されている。それらの通信ネットワーク６０１への接続部にはネットワークインタフェース部６００，６０２が設けられている。
【００７２】
図３のビデオ装置は、画面表示及び操作を行う部分と、映像済番組２１０を蓄積している記録装置２００等とが遠隔にある場合にも利用可能である。
【００７３】
【発明の効果】
本発明のビデオ装置によれば、複数の映像が同時に再生されるので、ユーザは複数の映像を見て再生ポイントの移動先を探すことができ、移動先の決定が容易である。
【００７４】
また、本発明のビデオ装置は、主として視聴する映像の他に補助的な映像を表示することができるので、ユーザは映像の視聴を継続しながら補助的な映像を見て再生ポイントの移動先を探すことができ、視聴が中断されずスムーズな再生ポイントの移動が可能である。
【００７５】
また、本発明のビデオ装置は、イン再生ポインタとサブ再生ポインタとの時間差分が再生ポインタ差分により容易に求められる。
【００７６】
また、本発明のビデオ装置は、過去再生ポインタ及び未来再生ポインタにより、主として視聴している映像の前及び後ろの再生ポイントの映像を表示するので、ユーザはそれらの再生ポイントの映像を用いて、主として視聴している映像の前及び後ろの移動先を容易に探すことができる。
【００７７】
また、本発明のビデオ装置は、主として視聴する画面を、サブ再生ポインタで示される再生ポイントの映像を見ながらユーザが探した移動先へスイッチ操作により瞬時に移動させることができるので、ユーザは容易に再生ポイントを移動させることができる。
【００７８】
また、本発明のビデオ装置のスイッチは通信ネットワークを介して遠隔等に配置することが可能なので機器設置の自由度が高く、利便性が高い。
【００７９】
また、本発明のビデオ装置はユーザが再生ポインタ差分を容易に設定可能なので、予め時間差分が分かっている場合に、ユーザは再生ポインタ差分を設定することにより再生ポイントを瞬時に表示させることができる。また、時間差分が、ある程度分かっている場合に、ユーザは所望の再生ポイントの近くまで瞬時に移動させることができる。
【００８０】
また、本発明のビデオ装置は１つの画面内に複数の映像を表示することができるので、ユーザは１つの画面上の複数の映像を見て所望の再生ポイントを探すことができる。
【図面の簡単な説明】
【図１】本実施形態のビデオ装置の構成を示すブロック図である。
【図２】本発明の他の実施形態のビデオ装置の構成を示すブロック図である。
【図３】本発明の更に他の実施形態のビデオ装置の構成を示すブロック図である。
【図４】ＣＭカット機能を有する従来のビデオ装置の構成例を示す概略ブロック図である。
【符号の説明】
１００    ポインタ管理メモリ
１１０    未来再生ポインタ
１１１    現在再生ポインタ
１１２    過去再生ポインタ
１２１，１２２    再生ポインタ
２００    記録装置
２１０    録画済番組
３００    マイコン
３１０    未来再生画面選択スイッチ
３１２    過去再生画面選択スイッチ
３２１，３２２    再生ポインタ差分設定部
４００    映像合成処理装置
５１０    未来再生映像デコーダ
５１１    現在再生映像デコーダ
５１２    過去再生映像デコーダ
【図１】
0004052812.tif 000002
【図２】
0004052812.tif 000003
【図３】
0004052812.tif 000004
【図４】
0004052812.tif 000005